【手続補正書】
【提出日】平成28年9月23日(2016.9.23)
【手続補正１】
【補正対象書類名】明細書
【補正対象項目名】発明の名称
【補正方法】変更
【補正の内容】
【発明の名称】内視鏡装置、内視鏡用ビデオプロセッサおよび内視鏡装置の作動方法
【手続補正２】
【補正対象書類名】明細書
【補正対象項目名】０００１
【補正方法】変更
【補正の内容】
【０００１】
本発明は、内視鏡装置、特に、内視鏡挿入部の先端にＬＥＤによる照明手段を設けた内視鏡を有する内視鏡装置、当該内視鏡に接続される内視鏡用ビデオプロセッサおよび内視鏡装置の作動方法に関する。
【手続補正３】
【補正対象書類名】明細書
【補正対象項目名】０００６
【補正方法】変更
【補正の内容】
【０００６】
本発明は、上述した事情に鑑みてなされたものであり、ＬＥＤを内視鏡の光源として使用する内視鏡装置において自動調光で観察を行った場合でも観察画像の色調が変化しない内視鏡装置、当該内視鏡に接続される内視鏡用ビデオプロセッサおよび内視鏡装置の作動方法を提供することを目的とする。
【手続補正４】
【補正対象書類名】明細書
【補正対象項目名】０００７
【補正方法】変更
【補正の内容】
【０００７】
本発明における一態様の内視鏡装置は、ホワイトバランス調整モードにおいて取得したホワイトバランス補正係数に基づいて、撮影モードにおける色調を補正した映像信号を生成する内視鏡装置において、被写体に対して照明光を出射する発光素子と、前記発光素子からの発光量を可変させるように、当該発光素子に対して駆動電流値を可変させて供給する発光素子駆動部と、前記照明光によって照明された前記被写体を撮像して撮像信号を生成する撮像部と、前記発光素子が前記被写体を照明する際の前記駆動電流値を検出する駆動電流値検出部と、前記撮像部からの前記撮像信号に基づいて前記ホワイトバランス補正係数を演算するホワイトバランス補正係数演算部と、前記ホワイトバランス調整モードにおいて、前記発光素子からの発光量を順次可変させるように前記発光素子駆動部から前記発光素子に対して可変して供給される前記駆動電流値に応じて変位する、前記ホワイトバランス補正係数演算部において演算により取得した前記ホワイトバランス補正係数を、当該ホワイトバランス調整モードにおいて前記駆動電流値検出部により検出される前記駆動電流値に関連付けて記憶する記憶部と、前記撮影モードにおいて前記駆動電流値検出部により検出された前記駆動電流値に対応した前記ホワイトバランス補正係数を、前記記憶部において前記駆動電流値に関連付けて記憶された前記ホワイトバランス補正係数を読み出すホワイトバランス補正係数読出部と、前記撮影モードにおいて、前記ホワイトバランス補正係数読出部において読み出した前記ホワイトバランス補正係数に応じて、前記撮像部からの前記撮像信号の色調を補正して出力する色調補正回路と、を具備する。
本発明における一態様の内視鏡用ビデオプロセッサは、被写体に対して照明光を出射する発光素子からの発光量を可変させるように、当該発光素子に対して駆動電流値を可変させて供給する発光素子駆動部と、前記発光素子が前記被写体を照明する際の前記駆動電流値を検出する駆動電流値検出部と、前記照明光によって照明された前記被写体を撮像部により撮像することで得られる撮像信号に対して、設定されるホワイトバランス補正係数に基づいた色調補正処理を行う色調補正回路と、前記発光素子に印加する前記駆動電流値の大きさに対応付けた前記ホワイトバランス補正係数を記憶する記憶部と、前記駆動電流値検出部の検出結果に応じた前記ホワイトバランス補正係数を前記記憶部から読み出して前記色調補正回路に設定するホワイトバランス補正係数読出部と、を具備する。
本発明における一態様の内視鏡装置の作動方法は、ホワイトバランス調整モードにおいて取得したホワイトバランス補正係数に基づいて、撮影モードにおける色調を補正した映像信号を生成する内視鏡装置の作動方法であって、被写体に対して照明光を出射する発光素子からの発光量を可変させるように、発光素子駆動部において当該発光素子に対して駆動電流値を可変させて供給し、前記照明光によって照明された前記被写体を撮像部において撮像して撮像信号を生成し、前記発光素子が前記被写体を照明する際の前記駆動電流値を駆動電流値検出部において検出し、前記撮像部からの前記撮像信号に基づいた前記ホワイトバランス補正係数をホワイトバランス補正係数演算部において演算し、前記発光素子からの発光量を順次可変させるように前記発光素子駆動部から前記発光素子に対して可変して供給される前記駆動電流値に応じて変位する、前記ホワイトバランス補正係数演算部において演算により取得した前記ホワイトバランス補正係数を、前記駆動電流値検出部により検出される前記駆動電流値の大きさに関連付けて記憶部に記憶させる。
【手続補正５】
【補正対象書類名】明細書
【補正対象項目名】０００８
【補正方法】変更
【補正の内容】
【０００８】
以上説明したように本発明によると、ＬＥＤを内視鏡の光源として使用する内視鏡装置において自動調光で観察を行った場合でも観察画像の色調が変化しない内視鏡装置、当該内視鏡に接続される内視鏡用ビデオプロセッサおよび内視鏡装置の作動方法を提供することができる。
【手続補正６】
【補正対象書類名】特許請求の範囲
【補正対象項目名】全文
【補正方法】変更
【補正の内容】
【特許請求の範囲】
【請求項１】
ホワイトバランス調整モードにおいて取得したホワイトバランス補正係数に基づいて、撮影モードにおける色調を補正した映像信号を生成する内視鏡装置において、
被写体に対して照明光を出射する発光素子と、
前記発光素子からの発光量を可変させるように、当該発光素子に対して駆動電流値を可変させて供給する発光素子駆動部と、
前記照明光によって照明された前記被写体を撮像して撮像信号を生成する撮像部と、
前記発光素子が前記被写体を照明する際の前記駆動電流値を検出する駆動電流値検出部と、
前記撮像部からの前記撮像信号に基づいて前記ホワイトバランス補正係数を演算するホワイトバランス補正係数演算部と、
前記ホワイトバランス調整モードにおいて、前記発光素子からの発光量を順次可変させるように前記発光素子駆動部から前記発光素子に対して可変して供給される前記駆動電流値に応じて変位する、前記ホワイトバランス補正係数演算部において演算により取得した前記ホワイトバランス補正係数を、当該ホワイトバランス調整モードにおいて前記駆動電流値検出部により検出される前記駆動電流値に関連付けて記憶する記憶部と、
前記撮影モードにおいて前記駆動電流値検出部により検出された前記駆動電流値に対応した前記ホワイトバランス補正係数を、前記記憶部において前記駆動電流値に関連付けて記憶された前記ホワイトバランス補正係数を読み出すホワイトバランス補正係数読出部と、
前記撮影モードにおいて、前記ホワイトバランス補正係数読出部において読み出した前記ホワイトバランス補正係数に応じて、前記撮像部からの前記撮像信号の色調を補正して出力する色調補正回路と、
を具備することを特徴とする内視鏡装置。
【請求項２】
前記内視鏡装置は、被検体内に挿入する挿入部を有する内視鏡と、当該内視鏡が着脱自在に接続される信号処理装置と、を備え、
前記記憶部は、前記内視鏡に設けられたことを特徴とする請求項１に記載の内視鏡装置。
【請求項３】
被写体に対して照明光を出射する発光素子からの発光量を可変させるように、当該発光素子に対して駆動電流値を可変させて供給する発光素子駆動部と、
前記発光素子が前記被写体を照明する際の前記駆動電流値を検出する駆動電流値検出部と、
前記照明光によって照明された前記被写体を撮像部により撮像することで得られる撮像信号に対して、設定されるホワイトバランス補正係数に基づいた色調補正処理を行う色調補正回路と、
前記発光素子に印加する前記駆動電流値の大きさに対応付けた前記ホワイトバランス補正係数を記憶する記憶部と、
前記駆動電流値検出部の検出結果に応じた前記ホワイトバランス補正係数を前記記憶部から読み出して前記色調補正回路に設定するホワイトバランス補正係数読出部と、
を具備することを特徴とする内視鏡用ビデオプロセッサ。
【請求項４】
ホワイトバランス調整モードにおいて取得したホワイトバランス補正係数に基づいて、撮影モードにおける色調を補正した映像信号を生成する内視鏡装置の作動方法であって、
被写体に対して照明光を出射する発光素子からの発光量を可変させるように、発光素子駆動部において当該発光素子に対して駆動電流値を可変させて供給し、
前記照明光によって照明された前記被写体を撮像部において撮像して撮像信号を生成し、
前記発光素子が前記被写体を照明する際の前記駆動電流値を駆動電流値検出部において検出し、
前記撮像部からの前記撮像信号に基づいた前記ホワイトバランス補正係数をホワイトバランス補正係数演算部において演算し、
前記発光素子からの発光量を順次可変させるように前記発光素子駆動部から前記発光素子に対して可変して供給される前記駆動電流値に応じて変位する、前記ホワイトバランス補正係数演算部において演算により取得した前記ホワイトバランス補正係数を、前記駆動電流値検出部により検出される前記駆動電流値の大きさに関連付けて記憶部に記憶させる
ことを特徴とする内視鏡装置の作動方法。